(57)【要約】【課題】温風方式の熱源だけでも、室内を十分に暖房でき、また室内を乾燥させることもできる暖房装置を提供する。【解決手段】本発明の暖房装置１０は、浴室の天井１２に設置され、浴室内部の暖房や乾燥を行う暖房装置であって、シーズヒータ１３と、シーズヒータ１３下面に密着して設けられ、シーズヒータ１３によって加熱されて浴室内に輻射熱１７を放射する赤外線放射板１４と、シーズヒータ１３が配置された部分に空気を送り、シーズヒータ１３に空気を加熱させるとともに、加熱された空気を浴室内に温風として供給するファン１５とを備えている。【選択図】　　　　図１
2004084994.tif 000002
【特許請求の範囲】
【請求項１】
部屋の天井面または側壁面に設置され、部屋内部の暖房を行う暖房装置であって、
熱源と熱放射板と送風手段を有し、前記熱源により温風と輻射熱の２種類の熱の発生を可能とする暖房装置。
【請求項２】
部屋の天井面または側壁面に設置され、部屋内部の暖房を行う暖房装置であって、
熱源と、該熱源によって加熱され室内に輻射熱を放射する熱放射板と、前記熱源に空気を送って該熱源に空気を加熱させるとともに、加熱された空気を前記室内に供給する送風手段と、を備えたことを特徴とする暖房装置。
【請求項３】
請求項１又は２に記載の暖房装置において、
前記熱放射板は、前記熱源に密着して設置されていることを特徴とする暖房装置。
【請求項４】
請求項１又は２に記載の暖房装置において、
前記熱放射板は、前記熱源との間に隙間を有して設置されていることを特徴とする暖房装置。
【請求項５】
請求項１〜４のいずれか１項に記載の暖房装置において、
前記熱放射板には、前記熱源で加熱された空気が通るための孔が形成されていることを特徴とする暖房装置。
【請求項６】
請求項１〜５のいずれか１項に記載の暖房装置において、
前記熱放射板は、少なくともその表面が遠赤外線を高放射する材料で形成されていることを特徴とする暖房装置。
【発明の詳細な説明】
【０００１】
【発明の属する技術分野】
本発明は、浴室等の天井面または側壁面に設置され、室内の暖房を行う暖房装置に関する。
【０００２】
【従来の技術】
従来より、浴室内を暖房する暖房装置が知られている。このような暖房装置は、通常、浴室の天井面または側壁面に設置され、入浴時の暖房、入浴前に浴室内を予め温めておく予備暖房を行うことができるようになっている。
【０００３】
従来の暖房装置としては、熱源としてシーズヒータやＰＴＣセラミックヒータが設けられ、これらの熱源で暖められた空気を浴室内に供給する温風方式のものと、熱源としてランプ等が設けられ、このランプ等の輻射熱を利用して浴室内を温めるランプ方式のものとがある。
【０００４】
このうち温風方式のものでは、浴室内の空気の温度を上げるため、浴室内全体を暖めるのに時間がかかり、極寒時には暖房スイッチをオンにした直後では浴室内に入れず、また、入浴中に温風が当たることにより肌寒さを感じることになるため、入浴中の暖房には適していなかった。
【０００５】
また、ランプ方式のものでは、暖房スイッチをオンにした直後でも、ランプの真下にいればランプからの輻射熱で暖められるが、ランプの真下から外れると、浴室内全体の空気が暖められていないので寒く、結局、極寒時には暖房スイッチをオンにした直後では浴室内に入れず、浴室全体を暖める予備暖房は行えない。
【０００６】
そこで、図９に示すように、温風方式とランプ方式とを組み合わせた暖房装置が提案されている。この暖房装置においては、本体ケース１の上部にシーズヒータ２が、その下方にランプ３がそれぞれ配置され、また、シーズヒータ２に空気を送ってシーズヒータ２に空気を加熱させるとともに、加熱された空気を浴室内に供給するファン４が設けられている。
【０００７】
【発明が解決しようとする課題】
しかしながら、上記従来の技術では、シーズヒータとランプの双方を設けなければならないので、暖房装置のコストが高くなるとともに、電力消費の面でもマイナスである。
【０００８】
本発明の課題は、温風方式の熱源だけでも、室内を十分に暖房でき、また室内を乾燥させることもできる暖房装置を提供することにある。
【０００９】
【課題を解決するための手段】
上記課題を解決するために、本発明は、部屋の天井面または側壁面に設置され、部屋内部の暖房を行う暖房装置であって、熱源と熱放射板と送風手段を有し、前記熱源により温風と輻射熱の２種類の熱の発生を可能とすることを特徴としている。
【００１０】
また、本発明は、部屋の天井面または側壁面に設置され、部屋内部の暖房を行う暖房装置であって、熱源と、該熱源によって加熱され室内に輻射熱を放射する熱放射板と、前記熱源に空気を送って該熱源に空気を加熱させるとともに、加熱された空気を前記室内に供給する送風手段とを備えたことを特徴としている。
【００１１】
上記各構成によれば、温風方式とランプ方式の両方の作用効果を実現できる。すなわち、送風手段によって熱源に空気が送られ、この空気が熱源で加熱されてから室内に供給されるので、温風方式が実現されており、また、熱放射板は熱源によって加熱され、その輻射熱を室内に放射しているので、ランプ方式と同じ作用効果が得られている。
【００１２】
熱放射板の設置の仕方としては、熱源に密着して設置してもよいし、熱源との間に隙間を有して設置してもよい。
【００１３】
また、熱放射板には熱源で加熱された空気が通るための孔を形成することができる。このようにすれば、熱源で加熱された、より多くの空気を室内に供給することが可能となり、室内を短時間で暖めることができる。
【００１４】
さらに、熱放射板の少なくとも表面は遠赤外線を高放射する材料で形成しておくとよい。
【００１５】
【発明の実施の形態】
以下、本発明の実施の形態を図面に従って説明する。
（実施の形態１）
図１は、本実施の形態に係る暖房装置の概略構成図である。この暖房装置１０は、薄い金属板で箱形に形成した本体ケース１１を有し、この本体ケース１１は浴室の天井１２に設けた開口部に設置されている。本体ケース１１内上部には熱源としてシーズヒータ１３が設けられ、このシーズヒータ１３の下部（下流側）には熱放射板として赤外線放射板１４が取り付けられている。
【００１６】
図２はシーズヒータ１３と赤外線放射板１４の拡大斜視図であり、図３は図２のＡ−Ａ線に沿った断面図である。シーズヒータ１３は、水平方向に配置され中央部がＵ字状に折り曲げられた主要部１３Ａと、主要部１３Ａの両端が垂直方向に折り曲げられ本体ケース１１に取り付けられた取付部１３Ｂ（図１参照）とを有し、取付部１３Ｂには端子１３Ｃ（図１参照）が設けられている。
【００１７】
赤外線放射板１４は中央部の折り目１４Ａで鈍角に折り曲げられて、水平部１４Ｂと傾斜部１４Ｃとを有している。これにより、広い範囲で輻射熱を放出することができる。また、赤外線放射板１４には、折り目１４Ａ上の２箇所にコ字状の切り込みが入れられ、一側に折り返された半円状の折り返し片１４Ｄが形成されている。折り返し片１４Ｄは、図３に示すように、その半円状部分でシーズヒータ１３の主要部１３Ａを係止している。さらに、赤外線放射板１４の先端側にも半円状の折り返し片１４Ｅが形成され、この折り返し片１４Ｅもシーズヒータ１３の主要部１３Ａを係止している。
【００１８】
なお、赤外線放射板１４は、少なくとも表面が遠赤外線を高放射する材料で形成されている。このような材料としては、例えば、マンガンを０．３〜４．３重量％含有し、残部がアルミニウムおよび不可避的不純物からなり、かつマンガンとアルミニウムの金属間化合物が分散析出しているアルミニウム合金材とその表面に形成されたアルマイト層とからなる材料がある。この材料は、耐熱性を有し、かつ広い赤外線波長域で安定した良好な放射特性を持っている。
【００１９】
また、図１に示すように、本体ケース１１内には、シーズヒータ１３の横方に送風手段としてファン１５が配置されている。このファン１５には、シーズヒータ１３に対向して吐出口１５Ａが設けられ、本体ケース１１下面の空気吸込口１１Ａから浴室内の空気を吸い込み、その吸い込んだ空気を吐出口１５Ａからシーズヒータ１３に向けて吐出する。
【００２０】
さらに、本体ケース１１には、空気吸込口１１Ａに並んで空気吹出口１１Ｂが開口されている。なお、図１において、１６はファン１５を本体ケース１１に取り付けるための取付部材である。また、ファン１５は図示していないファンモータにより回転駆動される。このファンモータは高速・低速等の２段階以上の切換えが可能となっている。
【００２１】
次に、上記構成の暖房装置１０の動作について説明する。
まず、暖房装置１０の図示していない操作パネルにより入浴暖房モードが選択されると、シーズヒータ１３の過熱を防止するためにファン１５は低速回転駆動され、シーズヒータ１３に電流が流れてシーズヒータ１３が発熱する。シーズヒータ１３が発熱すると、その熱によって赤外線放射板１４が加熱され、赤外線放射板１４は、その傾斜部１４Ｃから図１のように輻射熱１７を空気吹出口１１Ｂを介して浴室内に放射する。これにより、入浴者は浴室内に入った直後でも寒く感じることはない。なお、赤外線放射板１４は、その水平部１４Ｂからも真下に向けて輻射熱を放射している。
【００２２】
なお、ファン１５は低速回転であるため、送風は微風であり、入浴者に対して気化熱が奪われることによる肌寒さを感じさせることはない。
【００２３】
また、暖房装置１０のメインスイッチをオンにするとともに予備暖房モードが選択されると、図４に示すように、ファン１５が矢印Ｂ方向に回転駆動され、浴室内の空気が本体ケース１１の空気吸込口１１Ａからファン１５に吸い込まれ、ファン１５の吐出口１５Ａから吐出された空気は、図４の矢印のように、赤外線放射板１４上側のシーズヒータ１３が配置された部分を流れる。シーズヒータ１３は発熱しているので、シーズヒータ１３が配置された部分を流れる空気は、シーズヒータ１３によって加熱されて暖められた後、赤外線放射板１４と本体ケース１１との間の隙間Ｇ１を通り、さらに空気吹出口１１Ｂを介して浴室内に温風となって流れ込む。これにより、浴室内全体を温風により暖かくすることができる。
【００２４】
（実施の形態２）
図５および図６は実施の形態２を示し、図５はシーズヒータ１３と赤外線放射板１４の拡大斜視図、図６は図５のＣ−Ｃ線に沿った断面図である。本実施の形態では、赤外線放射板１４の水平部１４Ｂの４箇所にスリット状の孔２１が形成されている。これらの孔２１には空気の流れ方向に沿って上流側に案内板２２が設けられている。他の構成は実施の形態１の場合と同様である。なお、スリット状の孔２１は上記４箇所に限定されるものではない。
【００２５】
上記構成によれば、図７に示すように、ファン１５を矢印Ｂ方向に回転駆動させたとき、ファン１５の吐出口１５Ａから吐出された空気は、赤外線放射板１４上側のシーズヒータ１３が配置された部分を流れ、赤外線放射板１４と本体ケース１１との間の隙間Ｇ１を通って浴室内に流れ込むとともに、赤外線放熱板１４のスリット状の孔２１を介しても浴室内に流れ込む。
【００２６】
本実施の形態によれば、シーズヒータ１３によって加熱された空気が、赤外線放射板１４と本体ケース１１との間の隙間Ｇ１と、赤外線放熱板１４のスリット状の孔２１とを介して浴室内に流れ込むようになるので、浴室内に流れ込む空気の量を増加させることができ、温風によって浴室内を効果的に暖めることができる。
【００２７】
（実施の形態３）
図８は、実施の形態３を示している。本実施の形態では、赤外線放射板１４がシーズヒータ１３に密着せず、赤外線放射板１４とシーズヒータ１３との間に隙間Ｇ２が形成されている。他の構成は実施の形態２の場合と同様である。
【００２８】
このように構成すれば、ファン１５を矢印Ｂ方向に回転駆動させたとき、ファン１５の吐出口１５Ａから吐出された空気は、赤外線放射板１４の上側を流れる際にシーズヒータ１３が配置された部分と隙間Ｇ２とを流れるようになり、空気の流路断面積が拡大されて、浴室内に流れる温風の流量が多くなる。
【００２９】
本実施の形態によれば、浴室内に流れ込む温風の空気量を増加させることができるので、浴室内をより一層効果的に暖めることが可能となる。
【００３０】
なお、上記の各実施の形態では、暖房装置１０が浴室の天井に設置された例について説明してきたが、本発明の暖房装置１０は浴室の側壁に設置することもできる。さらに、本発明の暖房装置１０は、浴室に限らず、脱衣所やトイレなどの天井または側壁に設置することも可能である。なお、ヒータとして、シーズヒータを用いたが、カーボンランプやハロゲンランプ等の他の発熱手段を用いてもよい。
【００３１】
また、上記の各実施の形態では、暖房装置１０を用いて浴室内を暖房する場合について説明したが、暖房装置１０と既設や新設の換気装置と連動させたり、排気口や排気ダクトを設けるとともに本装置内部に風路切換用の電動ダンパ等を設け、室内から吸込んだ空気を室内へ循環する風路と排気する風路とに切り替えたり、同時に前記両方の風路へ送風し、排気と循環を同時に行えるようにした装置や、本装置の循環ファンに加えて、換気ファンを設け、循環や換気を同時に行う装置として、浴室等の室内の乾燥や衣類等の乾燥換気装置としての利用もできる。
【００３２】
このように、本発明は、暖房機能のみを有する装置のみに適応できるものではなく、換気暖房装置や乾燥暖房装置等の暖房機能を有する全ての装置に適応が可能である。
【００３３】
【発明の効果】
以上説明したように、本発明によれば、単一の熱源で、温風により、室内を十分に暖房でき、かつ輻射熱により、室内にいる人を暖めることができる。
【図面の簡単な説明】
【図１】本発明の実施の形態１による暖房装置の概略構成図である。
【図２】シーズヒータと赤外線放射板の斜視図である。
【図３】図２のＡ−Ａ線に沿った断面図である。
【図４】暖房装置内での空気の流れを示した図である。
【図５】本発明の実施の形態２によるシーズヒータと赤外線放射板の斜視図である。
【図６】図５のＣ−Ｃ線に沿った断面図である。
【図７】暖房装置内での空気の流れを示した図である。
【図８】暖房装置内での空気の流れを示した図である。
【図９】従来技術よる暖房装置の概略構成図である。
【符号の説明】
１０　暖房装置
１２　天井
１１　本体ケース
１３　シーズヒータ（熱源）
１４　赤外線放射板（熱放射板）
１５　ファン（送風手段）
１７　輻射熱
２１　スリット状の孔
【図１】
2004084994.tif 000003
【図２】
2004084994.tif 000004
【図３】
2004084994.tif 000005
【図４】
2004084994.tif 000006
【図５】
2004084994.tif 000007
【図６】
2004084994.tif 000008
【図７】
2004084994.tif 000009
【図８】
2004084994.tif 000010
【図９】
2004084994.tif 000011